(57)【要約】【課題】従来の電気牧柵は、地中に固定された主柱間に張られた適数段の電気牧柵用鋼線を線間隔保持材に結束し、この鋼線に電気牧柵用電源装置から発生する高電圧電流を流し、家畜をコントロールするよう構成されている。積雪地帯では冬期間の雪害防止のため、線間隔保持材と電気牧柵用鋼線を外しており、外した柵杭は家畜の歩く溝をまたぐ状態に置くので積雪荷重などによって曲がって使用不能や破損してしまう。【解決手段】主にポリエチレンをべースとした合成樹脂の廃プラを素材として横断面正方形に構成された所定高さの縦角柱状体に構成されている。【選択図】        図１
2004283012.tif 000002
【特許請求の範囲】
【請求項１】
合成樹脂で主にポリエチレンをべースとした廃プラを素材として横断面正方形に構成された所定高さの縦角柱状体（１Ａ）において、当該縦角柱状体（１Ａ）の中心には平面方形の貫通孔（１Ｂ）が形成され、縦角柱状体（１Ａ）の正面中央には当該縦角柱状体の長手方向をもって前方に略台形状の溝状くぼみ（１Ｃ）が形成され、縦角柱状体（１Ａ）の背面中央には当該縦角柱状体の長手方向をもって後方に略台形状の溝状くぼみ（１Ｄ）が形成され、縦角柱状体（１Ａ）における電気牧柵用鋼線の張設を所望する高さをもって、鋼線支持具用受け穴（１Ｅ、１Ｅ）が設けられていることを特徴とする線間隔保持用柵杭。
【請求項２】
一方と他方に固定された強固な主柱に電気牧柵用鋼線を張り、その中間に請求項１記載の線間隔保持用柵杭を線間隔保持材として、電気牧柵用鋼線がたるまない程度の間隔で当該電気牧柵用鋼線に連結し、強固な主柱にスチールワイヤー付き緊張器で強く張り、電気牧柵用鋼線に電気牧柵用電源装置から発生する高電圧電流を流し、家畜のコントロール、野生動物の侵入防止を計るよう構成されていることを特徴とする電気牧柵。
【発明の詳細な説明】
【０００１】
【発明の属する技術分野】
本発明は、新規な構成を有する線間隔保持用柵杭と、この線間隔保持用柵杭を用いた電気牧柵に関するものである。
すなわち、本発明は、牛、馬、綿羊などの家畜及び鹿、猪、猿などの野生動物を対象とする、侵入防止用電気牧柵に係るものである。
【０００２】
【従来の技術】
従来の電気牧柵は、下記のような構成となっている。
地中に固定された一方と他方の主柱と、これら一方と他方の主柱間に張られた適数段の電気牧柵用鋼線と、一方と他方の主柱の中間に堅い木材、ＦＲＰ材、被覆鉄柱で構成された柵杭を線間隔保持材３として、鋼線がたるまない程度の間隔で鋼線に結束し、鋼線を緊張器で強く張り、その鋼線に電気牧柵用電源装置から発生する高電圧電流を流し、家畜のコントロール、野生動物の侵入防止を計るよう構成されている。
【０００３】
【発明が解決しようとする課題】
従来の技術で述べたものにあっては、下記のような問題点を有していた。
牧場では、放牧家畜が電気牧柵沿いを習性として何回も何回も歩くため、柵からｌ〜１．５ｍの幅の範囲に必ず幅５０〜６０ｃｍ、深さ１０〜３０ｃｍ程度の家畜の歩く溝（獣道）３Ａができる。
積雪地帯では冬期間の電気牧柵への雪害防止のため、当該電気牧柵における線間隔保持材としての柵杭と横線を外しておく。
その場合、外した柵杭は家畜の歩く溝３Ａをまたぐ状態に置かざるを得ないが、積雪荷重などのため折れたり、曲がって使用不能及び破損してしまう。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、合成樹脂で主にポリエチレンをべースとした廃プラを素材として横断面正方形に構成された所定高さの縦角柱状体１Ａにおいて、当該縦角柱状体１Ａの中心には平面方形の貫通孔１Ｂが形成され、縦角柱状体１Ａの正面中央には当該縦角柱状体の長手方向をもって前方に略台形状の溝状くぼみ１Ｃが形成され、縦角柱状体１Ａの背面中央には当該縦角柱状体の長手方向をもって後方に略台形状の溝状くぼみ１Ｄが形成され、縦角柱状体１Ａにおける電気牧柵用鋼線の張設を所望する高さをもって、鋼線支持具用受け穴１Ｅ、１Ｅが設けられていることを特徴とするものである。
【０００６】
請求項２記載の発明は、一方と他方に固定された強固な主柱に電気牧柵用鋼線を張り、その中間に請求項１記載の線間隔保持用柵杭を線間隔保持材として、電気牧柵用鋼線がたるまない程度の間隔で当該電気牧柵用鋼線に連結し、強固な主柱にスチールワイヤー付き緊張器で強く張り、電気牧柵用鋼線に電気牧柵用電源装置から発生する高電圧電流を流し、家畜のコントロール、野生動物の侵入防止を計るよう構成されていることを特徴とするものである。
【０００７】
【発明の実施の形態】
以下、本発明の実施の形態を実施例にもとづき図面を参照して説明する。
１は第１発明の線間隔保持用柵杭である。
その構成は、合成樹脂で主にポリエチレンをべースとした廃プラを素材として横断面正方形に構成された所定高さの縦角柱状体１Ａにおいて、当該縦角柱状体１Ａの中心には平面方形の貫通孔１Ｂが形成され、縦角柱状体１Ａの正面中央には当該縦角柱状体の長手方向をもって前方に略台形状の溝状くぼみ１Ｃが形成され、縦角柱状体１Ａの背面中央には当該縦角柱状体の長手方向をもって後方に略台形状の溝状くぼみ１Ｄが形成され、縦角柱状体１Ａにおける電気牧柵用鋼線の張設を所望する高さをもって、鋼線支持具用受け穴１Ｅ、１Ｅが設けられている。
なお、縦角柱状体１Ａにおける縦の稜線は、湾曲した面１Ａ１、１Ａ１．．に構成されている。
この場合、縦角柱状体は連続加圧引き抜き工法で製造するとよい。
【０００８】
鋼線支持具用受け穴１Ｅは、縦角柱状体１Ａにおいて前後方向に開設された前後方向の孔１Ｅ１と、前後方向の孔とは同一レベルで直交方向に開設された左右方向の孔１Ｅ２から構成されている。
この場合、鋼線支持具用受け穴は、縦角柱状体１Ａにおいて前後方向の孔１Ｅ１のみとすることができる。
【０００９】
合成樹脂で主にポリエチレンをべースとした廃ポリの主な特徴は、下記の通りである。
収縮性：大
温度適性：−４０℃〜＋１４０℃
耐候性：良
変形量：大
流通量：大
コスト：低
【００１０】
２は第２発明の電気牧柵である。
この電気牧柵２は、第１発明の線間隔保持用柵杭１を用いたものである。
その構成は下記の通りである。
地中に固定された一方と他方の主柱２Ａ、２Ａと、これら一方と他方の主柱間に張られた適数段の電気牧柵用鋼線２Ｂ、２Ｂ．．と、主柱２Ａ、２Ａ間に位置する電気牧柵用鋼線２Ｂ、２Ｂ．．に所定間隔をもって地表とは絶縁する状態で連結された線間隔保持用柵杭１、１．．から構成され、一方の主柱に取付けたスチールワイヤー付き緊張器２Ｃ、２Ｃ．．で当該電気牧柵用鋼線を強く張り、電気牧柵用鋼線２Ｂ、２Ｂ．．の他方端側に連結した電気牧柵用電源装置２Ｄから発生する高電圧電流を流し、家畜のコントロール、野生動物の侵入防止を計るよう構成されている。
この場合、縦角柱状体の高さは、当該縦角柱状体が線間隔保持用柵杭であることから、電気牧柵における両端に使用されている強固な主柱２Ａより低く構成されている。
【００１１】
線間隔保持用柵杭１の構成は、上述段落番号「０００７」、「０００８」に記載の通りである。
【００１２】
電気牧柵用鋼線２Ｂと線間隔保持用柵杭１との連結状態は下記の通りである。
Ａ．図７を参照して、線間隔保持用柵杭１の正面の当該線間隔保持用柵杭１の長手方向と直交方向に当接した状態の電気牧柵用鋼線２Ｂに、線間隔保持用柵杭１における左右方向の孔１Ｅ２に貫通させた針金２Ｅの両端を巻つけ固定する。
【００１３】
Ｂ．このほか、下記のようにすることができる。
ａ．図８を参照して、線間隔保持用柵杭１の正面の当該線間隔保持用柵杭１の長手方向と直交方向に当接した状態の電気牧柵用鋼線２Ｂを二つ折りにして挟んだ状態の針金２Ｆを、線間隔保持用柵杭１における前後方向の孔１Ｅ１に貫通させたのち左右に開き、その両端２Ｆ１を電気牧柵用鋼線２Ｂに巻つけ固定する。
ｂ．図９を参照して、線間隔保持用柵杭１の正面の当該線間隔保持用柵杭１の長手方向と直交方向に当接した状態の電気牧柵用鋼線２Ｂに側面略逆Ｕ字状の挟持金物２Ｇを取付けておき、線間隔保持用柵杭１における前後方向の孔１Ｅ１に貫通させたボルト２Ｇ１で挟持金物を連結固定する。
ｃ．図１０を参照して、線間隔保持用柵杭１の正面に当該線間隔保持用柵杭１の長手方向と直交方向に当接した状態の電気牧柵用鋼線２Ｂを下記の鋼線支持具２Ｈで固定する。
鋼線支持具２Ｈは、線間隔保持用柵杭１の正面と左右側面に外方から当接する平面コ字状のバンド体２Ｈ１１とバンド体の後方両端間に係架したボルト２Ｈ１２からなるバンド２Ｈ１と、バンド体２Ｈ１１の正面上辺中央に突設されたフック状の電気牧柵用鋼線包持片２Ｈ２から構成されている。
ｄ．図１１を参照して、線間隔保持用柵杭１の側面の当該線間隔保持用柵杭１の長手方向と直交方向に当接した状態の電気牧柵用鋼線２Ｂを二つ折りにして挟んだ状態の針金２Ｉを、線間隔保持用柵杭１における左右方向の孔１Ｅ２に貫通させたのち前後に開き、その両端２Ｉ１を電気牧柵用鋼線２Ｂに巻つけ固定する。
ｅ．図１２〜図１４を参照して、線間隔保持用柵杭１の正面の所望する位置に、当該線間隔保持用柵杭の長手方向に対して斜めに線受け用切込１Ｇを刻設し、線受け用切込１Ｇに電気牧柵用鋼線２Ｂを嵌め込み固定することができる。
【００１４】
【発明の効果】
本発明は、上述の通り構成されているので次に記載する効果を奏する。
Ａ．第１発明の効果は下記の通りである。
合成樹脂で主にポリエチレンをベースとした廃プラを素材とした本発明の線間隔保持用柵杭１を線間隔保持材として使用することにより、電気絶縁性に優れていて曲げ変位量は大きいが、牧柵沿いの家畜の歩く溝での積雪荷重では折れず、曲げは雪どけ荷重解放後、使用に支障ない程度まで戻り、紫外線劣化は多少起こるが、杭の肉厚が厚いため中まで性質を変化させるまでに至らず、木材、鉄材に比べて腐らないため長期間の使用に耐えられるものである。
さらに、この杭は連続加圧引き抜き工法で製造するため強度があり、長さも使用場所、動物の種類に合ったものを自在に製造できるほか、使用済み後、回収して粉砕すれば、容易にリサイクルができるので環境にやさしいものである。
また、カラー着色した線間隔保持用柵杭を使用すると、牧場での景観を良くすることができる。
【００１５】
Ｂ．第２発明の効果は下記の通りである。
線間隔保持用柵杭１は、電気絶縁性が優れているほかに雨などの水の表面離れがよいため、高電圧電流を鋼線に流す電気牧柵の杭として漏電による電圧降下がほとんどない。
このため、家畜、野生動物に強い電気ショックを与えられるので、そのショックを学習したこれらの動物はこの柵に近づかなくなる。
もし、弱い電気ショックを学習してこの柵は越えられると学習したら、何回も柵に近づき役立たなくなってしまう。
電気牧柵は目に見えない高電圧電流をいかに維持するかにかかっているので、構造がシンプルで漏電の原因となる鉄材の使用が少なく、長期にわたって腐らないので、線間隔保持用柵杭１は電気牧柵の重要な高電圧電流が維持できる。
また、強い電気ショックを与えることができる本発明の電気牧柵は、動物が近づかなくなるので、従来の有刺鉄線柵では鋼線の段数が４〜５段あるのに比べて、本発明では鋼線の段数が２〜３段で効果を発揮することができる。
さらに、従来の有刺鉄線柵は物理的に動物に痛さを与えてコントロールするため、有刺鉄線を支える柱は丈夫で、柱間隔を３〜４ｍにしなければならないのに比べて、本発明のものは軽量で柱間隔は６〜８ｍで良いので、建設コストが安く、維持補修が安く経済的である。
【図面の簡単な説明】
【図１】第１発明の線間隔保持用柵杭の斜視図である。
【図２】Ａ−Ａ線拡大断面図である。
【図３】家畜の歩く溝を説明する断面図である。
【図４】家畜の歩く溝と線間隔保持材との関係を説明する断面図である。
【図５】破損した線間隔保持材の状態を説明する断面図である。
【図６】第２発明の電気牧柵の略図的正面図である。
【図７】線間隔保持用柵杭と電気牧柵用鋼線の連結状態を説明する斜視図である。
【図８】線間隔保持用柵杭と電気牧柵用鋼線の連結状態の他の実施例を説明する斜視図である。
【図９】線間隔保持用柵杭と電気牧柵用鋼線の連結状態の他の実施例を説明する斜視図である。
【図１０】線間隔保持用柵杭と電気牧柵用鋼線の連結状態の他の実施例を説明する斜視図である。
【図１１】線間隔保持用柵杭と電気牧柵用鋼線の連結状態の他の実施例を説明する斜視図である。
【図１２】線間隔保持用柵杭と電気牧柵用鋼線の連結状態の他の実施例を説明する斜視図である。
【図１３】線間隔保持用柵杭における線受け用切込の状態を示す斜視図である。
【図１４】Ｂ−Ｂ線拡大断面図である。
【符号の説明】
１  第１発明の線間隔保持用柵杭
２  第２発明の電気牧柵
１Ａ  縦角柱状体
１Ｂ  貫通孔
１Ｃ  溝状くぼみ
１Ｄ  溝状くぼみ
１Ｅ  鋼線支持具用受け穴
２Ａ  主柱
２Ｂ  電気牧柵用鋼線
【図１】
2004283012.tif 000003
【図２】
2004283012.tif 000004
【図３】
2004283012.tif 000005
【図４】
2004283012.tif 000006
【図５】
2004283012.tif 000007
【図６】
2004283012.tif 000008
【図７】
2004283012.tif 000009
【図８】
2004283012.tif 000010
【図９】
2004283012.tif 000011
【図１０】
2004283012.tif 000012
【図１１】
2004283012.tif 000013
【図１２】
2004283012.tif 000014
【図１３】
2004283012.tif 000015
【図１４】
2004283012.tif 000016